(57)【要約】【課題】本発明は、建物の開口部を開放することができるルーバーを提供することを目的とする。【解決手段】格子状に形成されたルーバー本体１４と、建物の壁面に形成された開口部２２の上縁部に沿って延設されルーバー本体１４をスライド可能に吊り下げる上レール１６と、壁面に設けられルーバー本体１４の下縁部の壁面から離れる方向への移動を規制する規制部と、を備える。【選択図】図１
2018003448.tif 000002
【特許請求の範囲】
【請求項１】
格子状に形成されたルーバー本体と、
建物の壁面に形成された開口部の開口面に沿って、前記ルーバー本体をスライド可能とする支持手段と、
を有するルーバー。
【請求項２】
前記支持手段は、
前記開口部の上縁部に沿って延設され前記ルーバー本体をスライド可能に吊り下げる上レールと、
前記壁面に設けられ前記ルーバー本体の下縁部の前記壁面から離れる方向への移動を規制する規制部と、
を有する請求項１に記載のルーバー。
【請求項３】
前記上レールは、上方へ向けて突出したレール部を備え、
前記ルーバー本体は、前記レール部上を転動する環状凹部が形成された戸車と、該戸車を当該ルーバー本体に支持するブラケットとを有する請求項２に記載のルーバー。
【請求項４】
前記規制部は、
前記ルーバー本体の下縁部に沿って延在し下方へ向けて開口したガイド部と、
前記開口部の下縁部に設けられ前記ガイド部へ挿入されたロール部と、
を有する請求項２又は請求項３に記載のルーバー。
【請求項５】
前記壁面は、建物のベランダを包囲する壁である請求項１から４にいずれかに記載のルーバー。
【請求項６】
前記開口部内には、上下方向に延在する支柱を備えた柵が設けられ、該柵の上部には幅方向全域に渡って開放された開放領域が設定されている請求項１から請求項５にいずれか記載のルーバー。
【発明の詳細な説明】
【技術分野】
【０００１】
本発明は、壁面に設けられるルーバーに関する。
【背景技術】
【０００２】
従来、建物の窓開口部を覆うルーバーが知られている（例えば、特許文献１参照）。
【０００３】
このルーバーは、窓サッシに直接またはブラケットを介して固定されており、外部からの視線を遮ることができるように構成されている。
【先行技術文献】
【特許文献】
【０００４】
【特許文献１】特開２０１６−０６９８３１号公報
【発明の概要】
【発明が解決しようとする課題】
【０００５】
しかしながら、このような従来のルーバーは固定されており、窓開口部を完全に開放することはできなかった。
【０００６】
本発明は、建物の開口部を開閉することができるルーバーを提供することを目的とする。
【課題を解決するための手段】
【０００７】
本発明の第一の態様のルーバーは、格子状に形成されたルーバー本体と、建物の壁面に形成された開口部の開口面に沿って、前記ルーバー本体をスライド可能とする支持手段と、を有する。
【０００８】
すなわち、ルーバー本体は、支持手段により開口部の開口面に沿ってスライド可能とされている。このため、格子状のルーバー本体をスライドさせることで、開口部を開閉することができる。
【０００９】
また、ルーバー本体をスライドさせることで、格子状のルーバー本体で開口部が覆われた状態と、格子状のルーバー本体の側部に開口部が現れた状態とを形成することができ、壁面の意匠を変化させることができる。さらに、ルーバー本体を移動することで、壁面の一部が移動した印象を与えることができる。
【００１０】
本発明の第二の態様のルーバーは、前記支持手段は、前記開口部の上縁部に沿って延設され前記ルーバー本体をスライド可能に吊り下げる上レールと、前記壁面に設けられ前記ルーバー本体の下縁部の前記壁面から離れる方向への移動を規制する規制部と、を有する。
【００１１】
すなわち、ルーバー本体は、上レールに吊り下げられた状態で支持されている。このため、ルーバー本体を下から支持する場合と比較して、ゴミ等が溜まりにくく、移動時の抵抗が小さくなり、スムーズな移動が可能となる。
【００１２】
また、ルーバー本体の下縁部は、壁面に設けられた規制部によって壁面から離れる方向への移動が規制されている。このため、ルーバー本体が吹き付けられる風で煽られたとしても、ルーバー本体のめくりあげを防止することができる。
【００１３】
本発明の第三の態様のルーバーは、前記上レールは、上方へ向けて突出したレール部を備え、前記ルーバー本体は、前記レール部上を転動する環状凹部が形成された戸車と、該戸車を当該ルーバー本体に支持するブラケットとを有する。
【００１４】
すなわち、ルーバー本体は、ブラケットに設けられた戸車の環状凹部が上レールに設けられたレール部上を転動することで、がたつかずに上レールに沿って軽い力で移動することができる。また、戸車の環状凹部にレール部が配置されるため、戸車の横ずれを抑制することができる。
【００１５】
本発明の第四の態様のルーバーは、前記規制部は、前記ルーバー本体の下縁部に沿って延在し下方へ向けて開口したガイド部と、前記開口部の下縁部に設けられ前記ガイド部へ挿入されたロール部と、を有する。
【００１６】
すなわち、ルーバー本体には、下縁に沿って延在する下方開口状のガイド部が設けられており、このガイド部には、開口部の下縁部に設けられたロール部が下方から挿入される。これにより、ルーバー本体の下縁部の壁面から離れる方向への移動を規制することができる。
【００１７】
このとき、この移動規制は、ロール部がガイド部の内面に接することで行われる。このため、ルーバー本体の下縁部を溝に挿入して移動規制する場合と比較して、ルーバー本体外面の傷つき等を防止でき、外観品質を維持することができる。
【００１８】
本発明の第五の態様のルーバーは、前記壁面は、建物のベランダを包囲する壁である。
【００１９】
すなわち、ルーバー本体が設置された壁面はベランダの壁であり、ベランダの壁に設けられた開口部を開放した状態と、格子状のルーバー本体で通風を確保しつつ内部の視認性を低下させた状態とを形成することができる。
【００２０】
このとき、ルーバー本体は、スライド可能に吊り下げられている。このため、ルーバー本体を下方から支持するレールに沿って移動する場合のように、レール上に積もった木の葉等によってルーバー本体の移動が阻害されるといった不具合を未然に防止することができる。
【００２１】
本発明の第六の態様のルーバーは、前記開口部内には、上下方向に延在する支柱を備えた柵が設けられ、該柵の上部には幅方向全域に渡って開放された開放領域が設定されている。
【００２２】
すなわち、開口部内には柵が設けられているので、開口面積を確保しつつ、壁面の内側と外側との境界を明確にすることができる。
【００２３】
このとき、柵の上部には、幅方向全域に渡って開放された開放領域が設定されている。このため、ルーバー本体を開口部に沿って移動する際には、開放領域に手を入れてルーバー本体を操作することで、開口部の幅方向全域に渡ってルーバー本体から手を放すことなく開閉作業を行うことができ、利便性が向上する。
【発明の効果】
【００２４】
本発明は上記構成としたので、ルーバーで建物の開口部を開閉することができる。
【図面の簡単な説明】
【００２５】
【図１】一実施形態に係るルーバーをベランダの壁面に設置する状態を示す斜視図である。
【図２】同実施形態のルーバーを設置した状態を示す要部の断面図である。
【図３】同実施形態のルーバー本体を示す正面図である。
【図４】同実施形態のルーバー本体の要部を示す断面図である。
【図５】（Ａ）は壁面の開口部を開放した状態を示す斜視図（ベランダの側壁面は省略）であり、（Ｂ）はルーバー本体で開口部を覆った状態を示す斜視図（ベランダの側壁面は省略）である。
【発明を実施するための形態】
【００２６】
以下、本発明の一実施形態を図面に従って説明する。図１に示すように、本実施形態に係るルーバー１０は、建物のベランダ１２に設置されている。ルーバー１０は、ルーバー本体１４と、ルーバー本体１４をスライド可能に吊り下げる上レール１６と、下レール１８とを備えている。
【００２７】
すなわち、ベランダ１２は、建物より張り出しており、ベランダ１２は、前壁面２０と右側壁面２１Ａと左側面２１Ｂとで包囲されている。前壁面２０の右側には、採光及び通風用の開口部２２が設けられており、前壁面２０には、開口部２２を備えた右領域２０Ａと、開口部２２を不具備な左領域２０Ｂとが形成されている。
【００２８】
この開口部２２の下部領域２２Ａには、柵２４が設けられており、前壁面２０の内側と外側との境界が明確化されている。この柵２４は、開口部２２を包囲する下部開口縁部２２Ｃに立設された三本の支柱２４Ａと、各支柱２４Ａに支持された手すり部２４Ｂと、各支柱２４Ａを中途部で連結する連結部２４Ｃとによって格子状に形成されている。これにより、開口部２２からの視認性や通風性を確保できるように構成されている。
【００２９】
この柵２４の上部には、開口部２２の幅方向全域に渡って開放された開放領域２６が設定されており、開放領域２６は、開口部２２の開口幅２８と同じ幅寸法を有している。
【００３０】
ベランダ１２の前壁面２０には、上縁１２Ａと開口部２２との間に前述の上レール１６が設けられており、上レール１６は、開口部２２の上縁部に沿って配置されるとともに、前壁面２０の左縁部から右縁部に渡って延設されている。
【００３１】
この上レール１６は、図２に示すように、断面Ｌ字状に形成されており、長片部１６Ａが板材３０を介して前壁面２０にタッピングネジ３１で固定されている。上レール１６の短片部１６Ｂの先端には、上方へ向けて突出するレール部１６Ｃが一体形成されており、このレール部１６Ｃは、上レール１６の全長に渡って延設されている。
【００３２】
前壁面２０の上縁部には、断面コ字状の笠木ケース３２がタッピングネジ３４で固定されており、上レール１６及び上レール１６に支持されたルーバー本体１４の上縁部を幅方向全域に渡って覆い隠せるように構成されている。これにより、木の葉等の上レール１６への付着を抑制することができる。
【００３３】
また、前壁面２０には、図１に示したように、下縁１２Ｂと開口部２２との間に前述の下レール１８が設けられており、下レール１８は、開口部２２の下縁部に沿って配置されるとともに、前壁面２０の左縁部から右縁部に渡って延設されている。
【００３４】
この下レール１８は、図２に示したように、タッピングネジ３６で前壁面２０に固定された固定面１８Ａと、固定面１８Ａの下縁部より折曲して延出した下面１８Ｂと、下面１８Ｂの端部より折曲して上方に延出した前面１８Ｃとを有している。これにより、下レール１８は、上方へ向けて開口した断面コ字状に形成されており、前面１８Ｃは固定面１８Ａより低く設定され固定面１８Ａへのネジ止めが容易とされている。
【００３５】
下レール１８の下面１８Ｂには、ロール部を構成する挿入部３８が設けられており、挿入部３８は、図１に示したように、下レール１８の中央部に配置されている。挿入部３８は、図２に示したように、下面１８Ｂにボルト４０で固定された支持ブラケット３８Ａと、支持ブラケット３８Ａに回転可能に支持されたガイドローラ３８Ｂとを備えている。ガイドローラ３８Ｂは、外側面が樹脂で形成されており、接触時に発生する音が抑制されるとともに、接触箇所への傷つきを抑制できるように構成されている。
【００３６】
ルーバー本体１４は、図３及び図４に示すように、上縁を構成する上縁構成部材１４Ａと、下縁を構成する下縁構成部材１４Ｂとを備えており、両構成部材１４Ａ、１４Ｂは、断面Ｌ字状のアングル材によって構成されている。上縁構成部材１４Ａと下縁構成部材１４Ｂとの間には、複数の格子部材１４Ｃが幅方向に等間隔をおいて配置されており、各格子部材１４Ｃは、上縁構成部材１４Ａ及び下縁構成部材１４Ｂにタッピングネジ４２で固定されている。
【００３７】
各格子部材１４Ｃは、中空の角材で構成されており、所定の厚み寸法を有している。これにより、当該ルーバー本体１４に対して斜め方向からの視線が遮られ、内側を容易に覗けない縦格子が形成されている。
【００３８】
なお、本実施形態では、各格子部材１４Ｃが上下方向に延在する縦格子のルーバー本体１４を例に挙げて説明するが、これに限定されるものではない。例えば、各格子部材１４Ｃが横方向に延在する横格子のルーバー本体１４としてもよい。また、各格子部材１４Ｃを回転操作可能な羽板で構成してもよい
【００３９】
ルーバー本体１４の上縁構成部材１４Ａには、当該ルーバー本体１４を上レール１６に吊下げるためのハンガー４４が二か所に設けられている。このハンガー４４は、ルーバー本体１４に固定されたブラケット４４Ａと、ブラケット４４Ａに設けられた戸車４４Ｂとを有している。ブラケット４４Ａは、図４に示したように、基部４４Ｃが上縁構成部材１４Ａにボルト４６で固定されており、基部４４Ｃよりルーバー本体１４の表面１４Ｆ側に起立した起立部４４Ｄに回転軸４４Ｅを介して戸車４４Ｂが回転自在に支持されている。
【００４０】
戸車４４Ｂの転動面４４Ｆには、断面円弧状の環状凹部の一例である凹溝４４Ｇが周方向に延設されており、凹溝４４Ｇは、転動面４４Ｆの全周に渡って形成されている。これにより、図２に示したように、戸車４４Ｂの凹溝４４Ｇをレール部１６Ｃに合わせて上レール１６上に配置することで、上レール１６からの戸車４４Ｂの離脱を抑制することができる。また、ルーバー本体１４を上レール１６に吊下げた状態でスライド可能に支持できるように構成されている。
【００４１】
ハンガー４４のブラケット４４Ａには、図４に示したように、抜け止めプレート４８を着脱可能に取り付けられるように構成されている。この抜け止めプレート４８は、ブラケット４４Ａの起立部４４Ｄに面接触した状態でネジ５０により固定される固定面４８Ａと、固定面４８Ａよりルーバー本体１４の裏面１４Ｇ側に延出したロック片４８Ｂとを有している。
【００４２】
このロック片４８Ｂは、図２に示したように、当該ハンガー４４を上レール１６に吊り下げた状態で、上レール１６のレール部１６Ｃの下側に延出する長さを有しており、上レール１６に対してハンガー４４の上動を規制できるように構成されている。これにより、上レール１６からのルーバー本体１４の予期せぬ離脱を抑制できるように構成されている。
【００４３】
ルーバー本体１４には、図４に示したように、下縁に沿って延在する下方開口状の溝５２が設けられており、この溝５２は、断面コ字状のガイド部５２Ａで構成されている。ガイド部５２Ａは、下縁構成部材１４Ｂに固定される固定面５２Ｂと、固定面５２Ｂの各側縁より下方へ向けて延出した延出面５２Ｃとを有しており、固定面５２Ｂが下縁構成部材１４Ｂに面接触した状態でリベット５４により固定されている。
【００４４】
このガイド部５２Ａは、図２に示したように、ルーバー本体１４を取り付けた状態において、下レール１８内に配置されるとともに、ガイド部５２Ａが形成する溝５２内に下レール１８に設けられた挿入部３８が挿入されるように構成されている。このとき、ガイド部５２Ａの両延出面５２Ｃ、５２Ｃ間に挿入部３８のガイドローラ３８Ｂが配置される。このガイドローラ３８Ｂがガイド部５２Ａの延出面５２Ｃに当接することで、ルーバー本体１４の下縁部が前壁面２０から離れる方向へ移動するのを規制できるように構成されている。また、この移動規制によってルーバー本体１４の下縁部が下レール１８の固定面１８Ａや前面１８Ｃと干渉しないように構成されている。
【００４５】
そして、挿入部３８は、図１に示したように、下レール１８の中央部に設けられている。このため、図５の（Ａ）に示すように、ルーバー本体１４の下縁部が下レール１８の左ストッパ１８Ｆに当接した全開状態５６でも、図５の（Ｂ）に示すように下レール１８の右ストッパ１８Ｇに当接した全閉状態５８でも、挿入部３８がガイド部５２Ａの溝５２に挿入された状態が維持されるように構成されている。
【００４６】
以上の構成に係る本実施形態の作用を説明する。ルーバー１０を構成するルーバー本体１４は、開口部２２の上縁部に沿って延設された上レール１６にスライド可能に吊下げられており、ルーバー本体１４を上レール１６に沿って左右に移動することができる。このため、ルーバー本体１４を開口部２２の開口面に沿って移動することで、格子状のルーバー本体１４により開口部２２を閉鎖した全閉状態５８のみならず、開口部２２が開放した全開状態５６も形成することができる。
【００４７】
このルーバー本体１４が設置された壁面はベランダ１２の前壁面２０であり、ベランダ１２の前壁面２０に設けられた開口部２２を開放した状態と、格子状のルーバー本体１４で通風を確保しつつ内部の視認性を低下させた状態とを形成することができる。これにより、ベランダ１２の利用形態に応じた使用が可能となる。
【００４８】
また、ルーバー本体１４を移動することで、格子状のルーバー本体１４で開口部２２が覆われた状態と、格子状のルーバー本体１４の側部に開口部２２が現れた状態とを形成することができる。これにより、ベランダ１２壁面の意匠を、前壁面２０の模様及びルーバー本体１４の格子模様で構成された状態と、ルーバー本体１４の格子模様及び開口部２２で構成された状態とに変化させることができる。さらに、ルーバー本体１４を移動することで、ベランダ１２の前壁面２０の一部が移動した印象を与えることができる。
【００４９】
一方、ルーバー本体１４は、上レール１６に吊り下げられた状態で支持されている。このため、ルーバー本体１４を下から支持する場合と比較して、ゴミ等が溜まりにくく、移動時の抵抗が小さくなり、スムーズな移動が可能となる。
【００５０】
具体的に本実施形態の構造では、ルーバー本体１４は、ブラケット４４Ａに設けられた戸車４４Ｂが上レール１６に設けられたレール部１６Ｃ上を転動することで、ルーバー本体１４を、がたつかせずに上レール１６に沿って軽い力で移動することができる。また、戸車４４ｂの凹溝４４Ｇにレール部が配置されるため、戸車４４ｂの横ずれを抑制することができる。
【００５１】
このとき、このルーバー１０は、ベランダ１２の前壁面２０に設置されている。このため、ルーバー本体１４を下方から支持するレールに沿って移動する場合のように、レール上に木の葉等が積もりルーバー本体１４の移動が阻害されるといった不具合を未然に防止することができる。
【００５２】
そして、ルーバー本体１４の下縁部は、前壁面２０に設けられた挿入部３８によって前壁面２０から離れる方向への移動が規制されている。このため、ルーバー本体１４が吹き付けられる風で煽られたとしても、ルーバー本体１４下部からのめくりあげを防止することができる。
【００５３】
具体的な本実施形態の構造としては、ルーバー本体１４にガイド部５２Ａを設けて下方開口状の溝５２を形成し、この溝５２に、前壁面２０に設けられた下レール１８の挿入部３８を挿入する。これにより、ルーバー本体１４の下縁部が前壁面２０から離れる方向へ移動することを規制することができる。
【００５４】
このとき、この移動規制は、挿入部３８が溝５２の内面に接することで行われる。このため、ルーバー本体１４の下縁部を溝に挿入して移動規制する場合と比較して、ルーバー本体１４外面の傷つき等を防止でき、外観品質を維持することができる。
【００５５】
一方、ベランダ１２の前壁面２０の開口部２２内には柵２４が設けられており、開口面積を確保しつつ、前壁面２０の内側と外側との境界を明確にすることができる。このとき、柵２４の上部には、開口部２２の幅方向全域に渡って開放された開放領域２６が設定されている。
【００５６】
このため、ルーバー本体１４を開口部２２に沿って移動する際には、開放領域２６に手を入れてルーバー本体１４を操作することで、開口部２２の幅方向全域に渡ってルーバー本体１４から手を放すことなく、開閉作業を行うことができる。したがって、利便性が向上する。
【００５７】
なお、本実施形態では、ルーバー１０をベランダ１２の前壁面２０に設置した場合について説明したが、これに限定されるものでなく、建物のいずれの壁面に設置してもよい。
【００５８】
また、ルーバー本体１４の吊下げ構造は、ブラケット４４Ａに設けられた戸車４４Ｂに限定されるものではなく、他の構造であってもよい。
【００５９】
さらに、ルーバー本体１４の下縁部の移動規制構造は、ルーバー本体１４に設けられたガイド部５２Ａ及びガイド部５２Ａの溝５２に挿入される下レール１８の挿入部３８に限定されるものではなく、他の構造であってもよい。
【００６０】
そして、開口部２２内において幅方向全域に渡って開放された開放領域２６は、形成しなくてもよい。
【符号の説明】
【００６１】
１０    ルーバー
１２    ベランダ
１４    ルーバー本体
１６    上レール
１６Ｃ  レール部
１８    下レール
２０    前壁面
２２    開口部
２４    柵
２４Ａ  支柱
２６    開放領域
２８    開口幅
３８    挿入部
４４Ａ  ブラケット
４４Ｂ  戸車
５２Ａ  ガイド部
【図１】
2018003448.tif 000003
【図２】
2018003448.tif 000004
【図３】
2018003448.tif 000005
【図４】
2018003448.tif 000006
【図５】
2018003448.tif 000007